(57)【要約】      （修正有）【課題】狭い屈曲した通路であっても患者の搬送を、少ない搬送者により安定した負担の軽い態勢で行え、患者に対しても姿勢の安定化が容易で負担が少なく、速やかに搬送することを可能とする折りたたみ式担架の提供。【解決手段】複数の載置パネル部材２０ａ、２０ｂ、２０ｃの内部に連結具４０、４３を挿通させる挿通孔を各載置パネル部材に連通させて、この連結具をスライド自在に内装し、前記連結具が剛性を有する複数の芯棒部と、該芯棒部同士を屈曲自在に連結した連結部とから構成され、前記連結部を各載置パネル部材間にスライド配置したときには載置パネル部材の折りたたみが可能であり、前記連結部を各載置パネル部材内部にスライド配置したときには複数の各載置パネル部材の少なくとも２枚以上が面一に規制される。【選択図】  図１
2005102877.tif 000002
【特許請求の範囲】
【請求項１】
複数の載置パネル部材の内部に連結具を挿通させる挿通孔を各載置パネル部材に連通させて、この連結具をスライド自在に内装し、前記連結具が剛性を有する複数の芯棒部と、該芯棒部同士を屈曲自在に連結した連結部とから構成され、前記連結部を各載置パネル部材間にスライド配置したときには載置パネル部材の折りたたみが可能であり、前記連結部を各載置パネル部材内部にスライド配置したときには複数の各載置パネル部材の少なくとも２枚以上が面一に規制されることを特徴とする折りたたみ式担架。
【請求項２】
載置パネル部材の裏部にキャスターを備えたことを特徴とする請求項１記載の折りたたみ式担架。
【発明の詳細な説明】
【技術分野】
【０００１】
本発明は、狭い廊下や狭く屈曲した通路であっても、通路状況に応じて担架の形状の変更が可能であり、患者にかかる負担のみならず、搬送者の負担が軽く速やかに現場への担架の搬入及び患者の救出搬送ができる折りたたみ式担架に関する。
【背景技術】
【０００２】
近年、人口の高齢化等による救急出動件数の増加に伴い救急活動における救急隊員の労力が増大している。
そして、救急出動における救急搬送人員の発生場所区分においては住宅の割合は非常に高く、近年の住宅事情では、バリアフリー化が普及しているものの救急活動の多くが例えばトイレや脱衣所付近等のような狭い廊下や屈曲した通路にて行われる。
この狭い通路などにて患者を移動するには布担架や毛布を使用し、搬入可能な位置まで搬入したメインストレッチャーを使用して患者の移動が行われる。
布担架や毛布を使用した場合、救急隊員は不安定な体勢で患者の持ち上げ状態を継続しなければならず、しかも、患者も不安定な姿勢となりその負担は随分大きくなってしまう。
これによって、脳疾患や心臓疾患等の生命に影響のある患者では、この不安定な体位により病状悪化につながることも懸念される。
特に、心肺停止患者では心肺蘇生を中断しなければならないという問題がある。
現在、高規格救急車に積載されている搬送用器材は搬送用、固定用としてメインストレッチャー、折りたたみストレッチャー、平担架、スクープストレッチャー、バックボード、布担架があるが、これらの中で狭い通路で対応できるのは布担架となる。
メインストレッチャーはほとんどの救急現場で使用されるが、長く、重いため狭路への搬入が困難である。
椅子状の折りたたみストレッチャーは階段等で使用され、傾斜をつけて移動することになるが、やはり屈曲通路においての使用は困難である。
平担架は軽量であるが、患者の移動に２〜４名必要であり、患者の持ち上げ状態を継続しつつ移動しなければならず負担が大きいうえ、長さが長く屈曲通路における使用には適さない。
スクープストレッチャー、バックボードは患者の全身の固定に使用し、軽量であるが長さが長く、やはり屈曲通路における使用には適さない。
布担架は軽量で狭い通路においても使用可能であるが、患者は不安定な状態で移動され、さらに、救急隊員は持ち上げ状態を継続する必要があり負担が大きい。
これにより現在の住宅事情における狭い通路での患者移動にはメインストレッチャー等が搬入不能であることから、徒手での移動や布担架による移動となる。
徒手での移動では３人で患者を抱き上げ、持ち上げ状態を継続するが、バランスが不安定なうえ患者への影響も大きく、更に移動に時間を要してしまう。
そして布担架においても、３人で患者を抱き上げ持ち上げ状態を継続するが、バランスが不安定で、救急隊員の負荷が持ち上げ位置で大きく異なり、そして患者への負担が大きく移動に時間を要してしまう。
このように徒手や布担架での移動は救急隊員や患者への負担が大きいうえ、移動に時間を要するものとなっている。
上記のような状況より、狭い屈曲した通路を使用する救急活動において、状況においては救急隊員一人での患者の移動も可能でありながら、移動時に持ち上げ状態を継続する必要が無く、しかも安定した移動を行うことができて、なおかつ患者への影響が少なく移動に時間を要しない担架が要望されている。
特開２００２−３４５８９４号公報に折りたたみ自在な担架構造が開示されているが、その折りたたみ構造はエアー吸入式の折り畳み自在なマットレスを使用することで得られているが、折りたたみ構造はコンパクトな形状による携帯性向上を目的としており、狭く屈曲した通路での搬送に対応していない。
特開２０００−２４０３７号公報にも折りたたみ式の担架構造が開示されているが、折りたたみ構造は支持フレーム間に設けた連結部材を介して２つ折りにする構造であり、その目的とするところはコンパクトな形状による収納であって、折りたたんだ状態における搬送は意図されていないため本発明の趣旨とは異なる。
【０００３】
【特許文献１】特開２００２−３４５８９４号公報
【特許文献２】特開２０００−２４０３７号公報
【発明の開示】
【発明が解決しようとする課題】
【０００４】
本発明は上記技術的課題に鑑みて、狭い屈曲した通路であっても患者の搬送を、少ない搬送者により安定した負担の軽い態勢で行え、患者に対しても姿勢の安定化が容易で負担が少なく、速やかに搬送することを可能とする折りたたみ式担架の提供を目的とする。
【課題を解決するための手段】
【０００５】
本発明の技術的要旨は、複数の載置パネル部材の内部に連結具を挿通させる挿通孔を各載置パネル部材に連通させて、この連結具をスライド自在に内装し、前記連結具が剛性を有する複数の芯棒部と、該芯棒部同士を屈曲自在に連結した連結部とから構成され、前記連結部を各載置パネル部材間にスライド配置したときには載置パネル部材の折りたたみが可能であり、前記連結部を各載置パネル部材内部にスライド配置したときには複数の各載置パネル部材の少なくとも２枚以上が面一に規制される点である。
【０００６】
載置パネルの裏面にキャスターを取り付けると、患者等を乗せたまま担架を持ち上げることなく移送しやすい。
これにより、載置パネル部材と載置パネル部材の間を芯棒部により挿通し連結した配置では、芯棒部両側の載置パネル部材は芯棒部により直線状に拘束されて、この時載置パネル部材同士を接すると両側の載置パネル部材は面一の拘束状態を形成する。
一方、載置パネル部材と載置パネル部材との間に間隔を設け、その間隔部分に連結部が位置する配置では、連結部両側の載置パネル部材は連結部を介して折り曲げ可能な連結状態となる。
この連結部長さは、載置パネル部材の折りたたんだ厚さに合わせると、二つの載置パネル部材を折りたたんで合わせたコンパクトな状態を形成することが出来る。
【発明の効果】
【０００７】
本発明に係る折りたたみ式担架においては、折りたたんでコンパクトな形状を形成することにより極端に狭く屈曲した通路においても搬入使用可能で、キャスターを設けているため救急隊員の負担も少なく、そして患者の負担も少なく安定した搬送状態を得ることが出来る。
また、担架の形状を変化させることで狭く屈曲した通路に対応させ、キャスターを用いて搬送を行うことから、少ない人員でも患者の搬送ができる。
狭く屈曲した通路においてもコンパクトな担架なので、患者移動に効果的であり、更に担架形状を変化させることで、患者の姿勢が安定する適切な担架形状を選択して使用することができ、患者の容態悪化を防止するうえで役立つ。
また、コンパクトに折りたためるだけでなく、載置パネル部材の連結形状を変化させることができるので、多くの用途で使用が可能である。
例えば、人のみならず資器材等の運搬にも使用可能である。
【発明を実施するための最良の形態】
【０００８】
図１（イ）に本発明に係る折りたたみ式担架の側面図を示し、図１（ロ）に上面図を示す。
載置パネル部材２０ａ、２０ｂ、２０ｃが被搬送者が乗る載置面２１を上方にして並べられ、その側面２３にて、載置パネル部材内に内装した連結具４０により連結され、折りたたみ式担架１０ａを形成している。
載置面２１部分には必要に応じて緩衝材が取り付けられる。
載置パネル部材２０ａ、２０ｂ、２０ｃの裏面２２にはキャスター２２ａが取り付けられている。
キャスターはこの担架の一方の端部のキャスターのみ旋回が固定され、他は旋回自在とすることで搬送者が搬送方向を定めやすくしてある。
各載置パネル部材には搬送者がこの折りたたみ式担架を持ち上げる搬送用持つ手２５が取り付けられている。
【０００９】
図１に示す連結具の構造を、載置パネル部材のカバー２１ａを取り外した状態を示す図２（イ）及び連結具のみを取り出した状態を示す図２（ロ）で説明する。
連結具４０は内側連結具４０ａと外側連結具４０ｂとから構成され、内側連結具同士は操作部５１ａ、５１ｂを介して端部がつながっている。
連結具は芯棒部４２を、芯棒部４２同士が屈曲可能となるように連結部４３で連結されている。
操作部内側連結具４０ａに設けられた内側連結具操作部５１ａ、５１ｂと外側連結具４０ｂに設けられた外側連結具操作部５２ａ、５２ｂからなっている
連結具４０は、載置パネル部材の担架長手方向両側の載置部側面２３から側面２３にわたって貫通している複数の挿通孔２４に挿通されている。
連結具４０の芯棒部４２の外周形状は図１（ロ）におけるＡ−Ａ線断面図を図３に示すように挿通孔２４断面形状に対応しており、図２において連結部４３は挿通孔２４より断面外形形状が小さく形成され、連結具４０は挿通孔２４内をスライド移動可能となっている。
連結具４０には、載置パネル部材２０ｃより操作部５１ｂ、５２ｂを引き出した状態においては、載置パネル部材２０ａ、２０ｂ間の間隔３０ａ及び載置パネル部材２０ｂ、２０ｃ間の間隔３０ｂに連結部４３がそれぞれ位置するように、芯棒部４２と連結部４３が配置されている。
従って、載置パネル部材２０ａ、２０ｂ、２０ｃはこの連結部４３にて相互に折り曲げ可能となっている。
【００１０】
芯棒部４２はパイプ状等の軽量な剛性体であり、芯棒部４２と連結部４３は回動自在に連結されている。
具体的には、例えば図１（イ）に示すように、芯棒部４２の端部にピン４４を配設し、連結部４３にピン孔を形成し、連結されている。
この芯棒部同士の連結は、十字軸等による連結や、ロープやゴム等の屈曲部材による連結構造や、連結部材そのものをロープやゴム等の屈曲部材とした構造としてもよい。
この連結部４３と芯棒部４２のピン連結部分はピン径とピン孔径の間に所定の遊びを設けると、図１０に示すように担架幅方向へも有る程度折り曲げ可能となる。
【００１１】
図４に示すように、載置パネル部材２０ａを一方の手で押さえて、もう一方の手で操作部５１ａ、５２ａを引くと連結具は左側にスライドする。
また、図５（イ）がカバーを取り付けた状態の外観を示す。
すると、この載置パネル部材２０ａ、２０ｂ、２０ｃの間に芯棒部４２の直線部分が位置するようになり、載置パネル部材２０ａ、２０ｂ、２０ｃは相互に面一に拘束された状態になる。
【００１２】
図２に示すように、操作部５１ａ、５１ｂと把持部側アーム５１ｃ、５２ｃを芯棒側アーム５１ｄ、５２ｄがそれぞれリング連結やピン連結からなる折り曲げ部５３ａ、５３ｂにより折り曲げ可能に連結されている。
ここで、把持部側アーム５１ｃ、５２ｃと芯棒側アーム５１ｄ、５２ｄの長さを間隔３０ａと間隔３０ｂの長さを合わせた長さとすることで、図５（ロ）に示すように載置パネル部材側面２３同士を当接させると、載置パネル部材側面２３間で縮まった長さの分の連結具４０が載置パネル部材２０ａから押し出されるが、この長さは把持部側アーム５１ｃ、５２ｃの長さとほぼ等しくすることで、把持部側アーム５１ｃ、５２ｃと芯棒側アーム５１ｄ、５２ｄの折り曲げ部５３ａ、５３ｂ位置が載置部側面２３ａに対応した位置となる。
このように、操作部５１ａ，５２ａの折り曲げ部５３ａ、５３ｂの位置を操作部側の載置部側面２３ａに対応した位置とすることで、操作部５１ａ、５２ａは折り曲げ部５３ａ、５３ｂにて載置部側面２３ａ側に折り曲げ、載置パネル部材側面付近や載置パネル部材裏面に凹部を設け係止するなどして収納することができる。
また、このまま搬送時の引き手として利用できる。
一方、操作部５１ｂ、５２ｂを押し込み操作部５１ａ、５２ａを更に引き出すと図４及び図５（イ）に示すように、操作部５１ｂ、５２ｂの把持部側アーム５１ｃ、５２ｃの長さと芯棒部側アーム５１ｄ、５２ｄの長さがほぼ等しいことから、芯棒部側アーム５１ｄ、５２ｄと芯棒部４２との間の折り曲げ部５３ａ、５３ｂが載置部側面２３ａに対応した位置となる。
この状態でも操作部５１ａは折り曲げ部５３ａにより上方へ折り曲げることができ、担架を引く際に長く引きやすい引き手として利用できる。
操作部５１ａは使用しない場合は載置パネル部材側に係止固定することもできる。
図５（イ）においては、操作部５２ａが側面２３ａ側に向けて折り曲げ収納されている。
また、載置パネル部材側に係止固定することもできる。
操作部は、載置パネル部材側に係止することで、載置パネル部材同士を当接固定できる。
【００１３】
連結具４０は図４に示すように載置パネル部材２０ａ、２０ｂ、２０ｃに複数の挿通孔２４を設けて挿通されることで、載置パネル部材２０ａ、２０ｂ、２０ｃにおける連結具４０を軸とした回転を規制している。
この場合は挿通孔２４が載置パネル部材に４カ所設けられているため、例え連結部断面の外周形状が円形状であってもこの回転は規制される。
芯棒部４２は例えば平板状などでねじり方向にも剛性を有した断面非円形状であれば、載置パネル部材の挿通孔は断面が同形状のものが１つでもよい。
【００１４】
図１に示す状態から各載置パネル部材間を折り曲げた状態を図６に示す。
載置パネル部材１枚分の載置面２１が上部に形成され、キャスター２２ａにより移動可能となっている。
この状態における搬送状態例を図７に示す。
極端に狭く屈曲した通路においても、患者２を載置面２１に座らせて搬送者３は患者２の体を支えつつキャスター移動により速やかに搬送することができる。
これにより、患者を抱き上げて搬送する場合と比較して、患者の体勢は安定し、患者の負担が軽い上に搬送者の負担も軽くなっている。
搬送もキャスター移動により速やかに行うことができる。  
【００１５】
この図５（イ）に示す状態の担架を使用した搬送状態例を図８に示す。
小型のキャスター付担架として、狭く屈曲した通路においても患者の搬送を行うことができる。
患者２は、キャスター付の担架１０ａ上に乗ることで安定している。
患者の負担は少なく、容態悪化の防止処置を施した安定した姿勢となっている。
搬送者３も患者を抱き上げたり、担架の持ち上げる必要がないため負荷が軽くなっている。
ストレッチャーを搬送した場所までこの折りたたみ式担架により搬送し、ストレッチャーへの患者の移載は折りたたみ式担架１０ａの持ち手２５を持ち、折りたたみ式担架ごと患者２をストレッチャーへ移載することで、患者の体勢が安定した状態での移載を行うことができる。
この搬送用持ち手２５を使用しない場合は、例えば載置パネル部材裏面へ折り返す構造とすることで、担架をよりコンパクトな形状とすることができる。
また、持ち手２５の構造も、パネルに直接凹部を形成しても良く、各種構造が適用される。
【００１６】
載置パネル部材の一つを傾斜させてワイヤーにて固定し、担架に斜面を形成した状態を図９に示す。
載置パネル部材２０ｃの裏面２２からワイヤーや金具などの傾斜固定部材２８ａを引き出し伸展させ、別の載置パネル部材２０ｂの留め具２８ｂに一端を取り付けることで、載置パネル部材２０ｃを傾斜状態で固定して担架に斜面２１ｃを形成している。
これにより背もたれがあると搬送がしやすい、階段や斜面などを通る搬送に対応することができる。
図９に示した例では、傾斜角度が小さいが引っかけ位置を変えることで、ほぼ直角にする等何段階かに分けて使用することもできる。
また、ワイヤーもフック部を有する金具等にして強度を上げても良い。
【００１７】
折りたたみ式担架の他の変形状態の例を図１０に示す。
図１０（イ）は折りたたみ式担架を湾曲させた場合で、図１０（ロ）は折りたたみ式担架をＳ字形状とした場合である。
連結部４３と芯棒部４２との連結は、例えばピン連結の場合にピンとピン孔の間に遊びをもたせてあるため、担架１０ａの幅方向に対しても折り曲げが可能であることから、曲がった通路での搬送が容易になる。
【００１８】
載置パネル部材を５枚使用した担架の実施例を図１１に示す。
５枚の板状の載置パネル部材２０ｄ、２０ｅ、２０ｆ、２０ｇ、２０ｈが並べられ、その側面が連結具４０により連結されて折りたたみ式担架１０ｂを形成している。
【００１９】
この担架の連結具を載置パネル部材に対してスライド移動させた状態を図１２に示す。
図１２（イ）は載置パネル部材のカバーを取り外した状態を示し、図１２（ロ）はカバーを取り付けた状態を示す。
この載置パネル部材と載置パネル部材の間を芯棒部４２により連結した配置では、芯棒部両側の載置パネル部材は芯棒部４２により直線状に拘束されて、この様に載置パネル部材同士を当接することで面一に拘束され載置面２１を形成する。
載置面２１の一端より操作部５０ａが突出しているが、載置面２１には切り欠き部２１ｂが設けられて連結部４３からなる折り曲げ部５３ｃを露出させている。
これにより、操作部は折り曲げ部５３ｃにて上方へ折り曲げ可能となり、操作部５０ａは折りたたみ式担架をキャスター移動する際の引き手として使用することができる。
【００２０】
載置パネル部材を５枚使用した場合の他の変形形状について説明する。
図１３は５枚の載置パネル部材２０ｄ、２０ｅ、２０ｆ、２０ｇ、２０ｈを上下に重ねた形状として、上部に載置パネル部材２０ｄ一枚分の載置面２１を形成した場合を示す。
図１４は３枚の載置パネル部材２０ｆ、２０ｇ、２０ｈを載置パネル部材２０ｄの横に重ねて載置パネル部材２０ｄと載置パネル部材２０ｆの間の載置パネル部材２０ｅを傾斜させ、載置パネル部材２０ｄと載置パネル部材２０ｆ間に段差を形成し、簡易車椅子とした場合を示す。
患者は載置パネル部材２０ｆの上に腰かけて、載置パネル部材２０ｄに足を乗せ、体を支えられつつ搬送される。
【００２１】
本発明に係る折りたたみ式担架は、救急隊員の救急活動のみならず、狭い屈曲した通路があるところにおいては、例えば老人福祉施設やデパート、学校、駅や空港、体育館や競技場などにおいても、関係者による患者の搬送を搬送者が安定した姿勢でその負荷を軽くして搬送でき、患者も安定して搬送できるため、これらの場所における救急活動においても役立たせることができる。
救急隊員の救急活動においては安定した患者の搬送状態が得られることから、心肺蘇生を継続することも可能となり、患者の容態悪化の防止に貢献できる。
また、火災及び地震、その他の災害等が発生した場合には、その施設の責任者等が負傷者のみならず、重要物品等の搬出にも使用でき、一般家庭及び各事業所等においても各種物品の移動や運搬にも容易に使用できる。
【図面の簡単な説明】
【００２２】
【図１】本発明に係る折りたたみ式担架の（イ）は側面図を示し、（ロ）に上面図を示す。
【図２】（イ）カバーを取り外した上面図を示す。（ロ）連結具のみを取り出した状態を示す。
【図３】Ａ−Ａ線断面図を示す。
【図４】連結具をスライド移動させた状態でカバーを取り外した上面図を示す。
【図５】（イ）連結具をスライド移動させて一方の操作部を載置パネル部材内に押し込んだ状態の上面図を示す。（ロ）載置パネル部材側面を接した状態の上面図を示す。
【図６】載置パネル部材を折り重ねた状態を示す。
【図７】極端に狭く屈曲した通路における搬送状態例を示す。
【図８】載置パネル部材の側面を接した場合の搬送状態例を示す。
【図９】担架に斜面を形成した状態を示す。
【図１０】（イ）折りたたみ式担架を湾曲させた状態を示す。（ロ）折りたたみ式担架をＳ字形状とした状態を示す。
【図１１】載置パネル部材を５枚使用した場合の載置部間に間隔をあけて連結部を配置した状態を示す。
【図１２】側面を接した状態の（イ）はカバーを取り外した状態を示し、（ロ）はカバーを取り付けた上面図を示す。
【図１３】載置パネル部材を折り重ねた状態を示す。
【図１４】簡易車椅子を形成した状態を示す。
【符号の説明】
【００２３】
２      患者
３      搬送者
１０ａ、１０ｂ    折りたたみ式担架
２０ａ、２０ｂ、２０ｃ、２０ｄ    載置パネル部材
２０ｅ、２０ｆ、２０ｇ、２０ｈ    載置パネル部材
２１    載置面
２１ａ  載置パネル部材カバー
２１ｂ  切り欠き部
２１ｃ  斜面
２２    載置パネル部材裏面
２２ａ  キャスター
２３、２３ａ  載置パネル部材側面
２４    挿通孔
２５    搬送用持ち手
２８ａ  載置パネル部材傾斜固定部材
２８ｂ  傾斜固定部材留め具
３０ａ、３０ｂ  間隔
４０    連結具
４０ａ  内側連結具
４０ｂ  外側連結具
４２    芯棒部
４３    連結部
４４    ピン
５１ａ、５１ｂ  内側連結具操作部
５１ｃ   内側連結具把持部側アーム
５１ｄ   内側連結具芯棒部側アーム
５２ａ、５２ｂ  外側連結具操作部
５２ｃ   外側連結具把持部側アーム
５２ｄ   外側連結具芯棒部側アーム
５３ａ、５３ｂ、５３ｃ  操作部折り曲げ部
【図１】
2005102877.tif 000003
【図２】
2005102877.tif 000004
【図３】
2005102877.tif 000005
【図４】
2005102877.tif 000006
【図５】
2005102877.tif 000007
【図６】
2005102877.tif 000008
【図７】
2005102877.tif 000009
【図８】
2005102877.tif 000010
【図９】
2005102877.tif 000011
【図１０】
2005102877.tif 000012
【図１１】
2005102877.tif 000013
【図１２】
2005102877.tif 000014
【図１３】
2005102877.tif 000015
【図１４】
2005102877.tif 000016